(57)【要約】【課題】餌箱の搖れで中の餌汁が大きく搖れない餌箱を提供すること。【解決手段】餌箱は合成樹脂シ−ト材からなる容器本体１と開口一辺の後側に取り付けられた釣り人の腰ベルトに係止されるワイヤ−からなる係止具２と係止具２で取り付けられた蓋体３と容器本体１内に設けた通水性を有する水切り用底板４で構成され、容器本体１は周囲の側面１ａの一端と他端が重ねられて溶着部１ｂで溶着固定され、溶着部１ｂのある一側１ｅ側の底部１ｄが低くなるように一側１ｅの高さ方向の長さＨに対して対向する他側１ｆの高さ方向の長さｈが短く形成され、ワイヤ−からなる係止具２は一側１ｅに取り付けられている。水切り用底板４は合成樹脂で形成した網で、板状の餌載せ板部４ａと餌載せ板部４ａの一側から下方に延びた脚部からなる支持部４ｂで形成され、容器本体１の中で餌載せ板部４ａの面が略水平になるように支持部４ｂの長さが決められている。【選択図】        図２
2004275005.tif 000002
【特許請求の範囲】
【請求項１】
上方に開口を有する容器本体の底部を前記容器本体の一側が低くなるように傾斜させると共に前記容器本体内に通水性を有する水切り用底板を設けたことを特徴とする餌箱。
【請求項２】
前記容器本体は外側に係止具を有し、容器本体の底部は係止具側が低くなるように傾斜させたことを特徴とする請求項１記載の餌箱。
【請求項３】
前記水切り用底板は開口と略水平になる支持部で支えられていることを特徴とする請求項１または２記載の餌箱。
【発明の詳細な説明】
【０００１】
【発明の属する技術分野】
本発明は、餌の水切りができる餌箱の改良に関する。
【０００２】
【従来の技術】
【特許文献１】特開２０００−１１６２９７号公報
【０００３】
従来冷凍した餌を餌箱に入れて使用する時には、解凍に伴ない生ずる餌汁を水
切りするために、
【特許文献１】のように底面上に網目状の水切りを設けてその下側に餌汁溜りの空間を構成していた。
しかし、底全体が平らな餌汁溜り空間では、餌箱が移動すると、中の餌汁全体が並行移動することになって餌箱の搖れが大きくなったり、餌汁が搖れて箱の外に飛び出して釣人に掛かったりすることになる。
【０００４】
【発明が解決しようとする課題】
解決しようとする課題は、
【特許文献１】のように底全体が平らな餌汁溜り空間では、餌箱が搖れて移動すると、中の餌汁全体が並行移動することになって餌箱の搖れが大きくなったり、餌汁が搖れて箱の外に飛び出して釣人に掛かったりすることになる。
ことである。
【０００５】
本発明の目的は前記欠点に鑑み、餌箱の搖れで中の餌汁が大きく搖れない餌箱を提供することである。
【０００６】
【課題を解決するための手段】
上記課題を解決するために、
請求項１に係わる本発明は、上方に開口を有する容器本体の底部を前記容器本体の一側が低くなるように傾斜させると共に前記容器本体内に通水性を有する水切り用底板を設けたことを要旨とするものである。
請求項２に係わる本発明は、前記容器本体は外側に係止具を有し、容器本体の底部は係止具側が低くなるように傾斜させたことを要旨とするものである。
請求項３に係わる本発明は、前記水切り用底板は開口と略水平になる支持部で支えられていることを要旨とするものである。
【０００７】
【発明の実施の形態】
本発明により、係止具２側の容器本体１の底部１ｄが深く前方が浅く形成されていると、餌汁が前後に搖れても搖れ返し量が少ないので釣り人が餌汁を被ることがない。
【０００８】
【実施例】
以下、本発明の実施例を図面に基づき説明すると、図１から図４は第１実施例で、図１は餌箱の容器本体の側面図、図２は容器本体の断面側面図と一部拡大断面側面図、図３は容器本体の分解斜視図、図４は餌箱の斜視図である。
【０００９】
餌箱は合成樹脂シ−ト材からなる容器本体１と容器本体１の開口一辺の後側に取り付けられた釣り人の腰ベルトに係止されるワイヤ−からなる係止具２で取り付けられた蓋体３と容器本体１内に設けた通水性を有する水切り用底板４で構成されている。
容器本体１はポリ塩化ビニ−ル、エチレン酢酸ビニ−ル等からなる合成樹脂シ−ト材からなり防水性と柔軟性を有している。
容器本体１は周囲の側面１ａの一端と他端が重ねられて溶着部１ｂで高周波溶着等で溶着固定され、側面１ａの下端の外側に折り返された溶着部１ｃが板状の底部１ｄに重ねられて高周波溶着等で溶着固定されて直方体に形成されると共に、溶着部１ｂのある一側１ｅ側の底部１ｄが低くなるように一側１ｅの高さ方向の長さＨに対して一側１ｅと対向する他側１ｆの高さ方向の長さｈが短く形成されている。
なお、底部１ｄを周囲の側面１ａより外方へ突出させて、容器本体１を地面に置いた時に安定するようになっている。
【００１０】
容器本体１の周囲の側面１ａの開口縁に金属線５がシ−ト材で包み込まれ、側面１ａは開口において内側から外側へ折り返されて折り返と部１ｇは容器本体１の側面１ａに縫着されている。
ワイヤ−からなる係止具２は溶着部１ｂで重ねられた一側１ｅの高さ方向の長さＨ側に取り付けられている。
ワイヤ−からなる係止具２は２箇所で側面１ａと蓋体３の透孔を夫々貫通する略Ｏ字形係止部２ａと腰ベルトに係止される係止部２ｂとで全体が略Ｙ字形の２組とこの２組を連結する連結部２ｃで形成されている。
蓋体３はポリ塩化ビニ−ル、エチレン酢酸ビニ−ルやポリエチレン、ポリウレタン、ＡＢＳ樹脂等の合成樹脂で板状に形成されている。
【００１１】
水切り用底板４は合成樹脂で形成した網で、板状の餌載せ板部４ａと餌載せ板部４ａの一側から下方に延びた脚部からなる支持部４ｂで形成され、水切り用底板４が容器本体１に落し込まれた時餌載せ板部４ａの面が地面または容器本体１の開口に略水平になるように支持部４ｂの長さが決められている。
図２のように、餌載せ板部４ａの面が略水平になれば良く、２点鎖線のように水平より幾分上方に傾斜したり、幾分下方に傾斜してもよい。
容器本体１の底部１ｄの上と水切り用底板４の餌載せ板部４ａの間が餌汁溜りの空間となり、その空間は、底部１ｄが低くなる側で大きく、対向する側で小さくなる。
したがって、空間は係止具２側で大きく、他側１ｆの容器本体１の前側で小さくなる。
【００１２】
餌箱が使用される時は、係止具２の係止部２ｂが釣り人の腰ベルトに係止され、容器本体１の中の水切り用底板４の餌載せ板部４ａの上に冷凍庫から出された餌が載せられる。
冷凍した餌の解凍に伴ない生ずる餌汁は水切り用底板４の餌載せ板部４ａの網目を通して餌汁溜りの空間の中に溜ることになる。
溜った餌汁は釣り人の腰の動きに合わせて前後や横に搖れる。
【００１３】
前記のように餌箱が構成されると、係止具２側の容器本体１の底部１ｄが深く前方が浅く形成されていると、餌汁が前後に搖れても搖れ返し量が少ないので釣り人が餌汁を被ることがない。
【００１４】
図５は第２実施例で、図５は餌箱の容器本体の断面側面図である。
【００１５】
第２実施例では、容器本体１の周囲の側面１ａに内側に向かって支持部１ｈが複数突出形成されている。
支持部１ｈの上面は水平面で支持部１ｈ上に水切り用底板４′の餌載せ板部４ａが載せられ、水切り用底板４′には前記第１実施例の支持部４ｂは省略されている。
他の構成は前記第１実施例と略同一である。
【００１６】
図６は第３実施例で、図６は餌箱の容器本体の断面側面図である。
【００１７】
第３実施例では、水切り用底板４″は合成樹脂で形成とた網で、底部１ｄの傾斜方向にその周縁が低く、中央が上方へ突出する湾曲面で餌載せ板４ｃが形成されて餌載せ板４ｃの一側から下方に延びた脚部からなる支持部４ｂが形成され、水切り用底板４″が容器本体１に落し込まれた時餌載せ板部４ｃの周囲の前後が略水平になるように支持部４ｂの長さが決められている。
これによって餌汁溜りの空間に溜った餌汁が再度餌載せ板部４ｃ上の餌にかかりにくく、また餌の餌載せ板部４ｃへの貼り付きがなくなり餌が取り上げやすくなる。
他の構成は前記第１実施例と略同一である。
【００１８】
図７は第４実施例で、図７は餌箱の側面図である。
【００１９】
第４実施例では、容器本体１の開口一辺の前側に取り付けられた釣り人の腰ベルトに係止されるワイヤ−からなる係止具２で取り付けられた蓋体３と容器本体１内に設けた水切り用底板４で構成されている。
ワイヤ−からなる係止具２は高さ方向の長さが長い長さＨの一側１ｅと対向する高さ方向の長さが短い長さｈの他側１ｆに取り付けられている。
他の構成は前記第１実施例と略同一である。
【００２０】
【発明の効果】
本発明は、以上説明したような形態で実施され、以下に記載されるような効果を奏する。
【００２１】
係止具側の容器本体の底部の一側が深く形成されていると、餌汁が一側に溜るため餌箱が搖れても餌汁の搖れ返しによる移動が少ないので釣り人が餌汁を被ることがない。
【図面の簡単な説明】
【図１】第１実施例で、餌箱の容器本体の側面図である。
【図２】同容器本体の断面側面図と一部拡大断面側面図である。
【図３】同容器本体の分解斜視図である。
【図４】同餌箱の斜視図である。
【図５】第２実施例で、餌箱の容器本体の断面側面図である。
【図６】第３実施例で、餌箱の容器本体の断面側面図である。
【図７】第４実施例で、餌箱の側面図である。
【符号の説明】
１  容器本体
１ｄ  底部
１ｅ  一側
１ｈ、４ｂ  支持部
２  係止具
４、４′、４″  水切り用底板
【図１】
2004275005.tif 000003
【図２】
2004275005.tif 000004
【図３】
2004275005.tif 000005
【図４】
2004275005.tif 000006
【図５】
2004275005.tif 000007
【図６】
2004275005.tif 000008
【図７】
2004275005.tif 000009